(57)【要約】【課題】電池の充電状態を表示する表示素子の視認性の向上を図る。【解決手段】非常用照明器具１は、非常用電源装置３１による電池ユニット４の充電状態を表示する表示素子９４と、常用照明装置２、非常用照明装置３、電池ユニット４、非常用電源装置３１及び表示素子９４を内部に収容する器具本体１０とを備える。器具本体１０は、常用照明装置２の一部及び非常用照明装置３の一部が第１方向（器具本体１０の長手方向）に沿って並ぶように露出する前面壁６０を有する。前面壁６０において、第１方向と交差する第２方向（器具本体１０の短手方向）に沿って非常用照明装置３に隣り合う位置に、表示素子９４が発する光を通過させる通過部（第２貫通孔６０２）が設けられている。【選択図】        図１
2018147757.tif 000002
【特許請求の範囲】
【請求項１】
常用照明を行う常用照明装置と、
非常用照明を行う非常用照明装置と、
前記非常用照明装置に給電する電池と、
前記電池を充電する充電装置と、
前記充電装置による前記電池の充電状態を表示する表示素子と、
前記常用照明装置、前記非常用照明装置、前記電池、前記充電装置及び前記表示素子を内部に収容する器具本体と
を備え、
前記器具本体は、前記常用照明装置の一部及び前記非常用照明装置の一部が第１方向に沿って並ぶように露出する前面壁を有し、
前記前面壁において、前記第１方向と交差する第２方向に沿って前記非常用照明装置に隣り合う位置に、前記表示素子が発する光を通過させる通過部が設けられている
ことを特徴とする非常用照明器具。
【請求項２】
前記前面壁は、前記第２方向の第１端から前記非常用照明装置までの距離を、前記第２方向の第２端から前記非常用照明装置までの距離よりも大きくするように構成されており、
前記通過部は、前記第１端から前記非常用照明装置までの間に配置されている
ことを特徴とする請求項１記載の非常用照明器具。
【請求項３】
前記器具本体は、
造営材に固定される固定部材と、
前記固定部材に結合されるカバー部材と
を有し、
前記カバー部材は、
長尺の矩形状に形成される前記前面壁と、
前記前面壁の前記第２方向の第１端から突出する第１周壁と、
前記前面壁の前記第２方向の第２端から突出する第２周壁と、
前記前面壁の前記第１方向の両端から突出する一対の第３周壁と
を有し、
前記一対の第３周壁は、前記前面壁の長手方向から見て、前記前面壁及び前記第２周壁のそれぞれとの境界を２辺とする三角形状の部位を有している
ことを特徴とする請求項１又は２記載の非常用照明器具。
【請求項４】
前記通過部を通して外部からのトリガ入力を受け付けるトリガ入力部を備え、
前記非常用照明装置は、前記トリガ入力部で前記トリガ入力が受け付けられたときに前記電池から給電されて非常用照明を行うように構成されている
ことを特徴とする請求項１〜３のいずれか１項に記載の非常用照明器具。
【請求項５】
前記表示素子と前記トリガ入力部を含む回路ブロックを備え、
前記回路ブロックは、
前記表示素子及び前記トリガ入力部が実装された基板と、
前記基板と前記表示素子及び前記トリガ入力部とを収容するハウジングと
を有することを特徴とする請求項４記載の非常用照明器具。
【発明の詳細な説明】
【技術分野】
【０００１】
本発明は、非常用照明器具に関し、より詳細には、常用照明装置、非常用照明装置、電池及び常用照明装置と非常用照明装置と電池を支持する器具本体とを備える非常用照明器具に関する。
【背景技術】
【０００２】
従来例として、特許文献１記載の照明装置（以下、従来例という）を例示する。従来例は、器具本体、筐体、直管形ランプ、反射板を備えており、階段照明として階段の壁面に設置される。器具本体は、前面が開口した長尺の箱状に形成されている。器具本体内には、通常時点灯装置、非常時点灯装置、電池、ソケット、引き紐スイッチ、充電モニタランプなどが収容されている。通常時点灯装置、非常時点灯装置及びソケットは、器具本体の背面に取り付けられる。通常時点灯装置は、常用電源から給電されて直管形ランプを点灯させる。また、通常時点灯装置は、常用電源から給電されているときに電池を充電し、かつ、充電モニタランプを点灯させる。つまり、充電モニタランプは、電池の充電が正常に行われていることを表示するように構成されている。非常時点灯装置は、常用電源の停電時に電池から給電されて直管形ランプを点灯させる。引き紐スイッチは、引き紐を器具本体の外に垂れ下げるようにして器具本体の下面に取り付けられる。充電モニタランプは、器具本体の下面に開口した孔から光を放射するように器具本体内に配置される。筐体は、背面が開口した長尺の直方体状に形成され、前面と下面と上面が透光カバーで構成されている。筐体は、背面の開口を器具本体の前面に被せ、ソケット及び直管形ランプを内部に収容するように器具本体に取り付けられる。
【先行技術文献】
【特許文献】
【０００３】
【特許文献１】特開２０１４−２２９４７１号公報
【発明の概要】
【発明が解決しようとする課題】
【０００４】
ところで、上記従来例では、正面から見ると器具本体が筐体に覆い隠されているため、充電モニタランプの光を視認し難いという問題があった。なお、充電モニタランプが筐体に設けられた場合、透光カバーを通して放射される光によって、充電モニタランプの光を視認することが困難になると考えられる。
【０００５】
本発明の目的は、電池の充電状態を表示する表示素子の視認性の向上を図ることができる非常用照明器具を提供することである。
【課題を解決するための手段】
【０００６】
本発明の一態様に係る非常用照明器具は、常用照明を行う常用照明装置と、非常用照明を行う非常用照明装置と、前記非常用照明装置に給電する電池と、前記電池を充電する充電装置と、前記充電装置による前記電池の充電状態を表示する表示素子とを備える。前記非常用照明器具は、前記常用照明装置、前記非常用照明装置、前記電池、前記充電装置及び前記表示素子を内部に収容する器具本体を備える。前記器具本体は、前記常用照明装置の一部及び前記非常用照明装置の一部が第１方向に沿って並ぶように露出する前面壁を有する。前記前面壁において、前記第１方向と交差する第２方向に沿って前記非常用照明装置に隣り合う位置に、前記表示素子が発する光を通過させる通過部が設けられている。
【発明の効果】
【０００７】
本発明の非常用照明器具は、電池の充電状態を表示する表示素子の視認性の向上を図ることができるという効果がある。
【図面の簡単な説明】
【０００８】
【図１】図１は、本発明の一実施形態に係る非常用照明器具の分解斜視図である。
【図２】図２は、同上の非常用照明器具の斜視図である。
【図３】図３は、同上の非常用照明器具の下面図である。
【図４】図４は、同上の非常用照明器具の前面図である。
【図５】図５は、同上の非常用照明器具の右側面図である。
【図６】図６は、同上の非常用照明器具を示し、仮保持状態の常用照明装置を含む要部の断面図である。
【図７】図７は、同上の非常用照明器具における回路ブロックの斜視図である。
【図８】図８は、同上の回路ブロックの分解斜視図である。
【図９】図９は、同上の非常用照明器具における電池ユニットと保持部材の側面図である。
【発明を実施するための形態】
【０００９】
本発明の一実施形態に係る非常用照明器具について、図面を参照して詳細に説明する。以下に説明する非常用照明器具は、例えば、建物の避難経路となる階段の踊り場の天井に設置される階段通路誘導灯である。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。例えば、本実施形態の非常用照明器具１は、踊り場の壁に設置されてもかまわない。
【００１０】
本実施形態の非常用照明器具１は、図１〜図５に示すように、常用照明装置２と、非常用照明装置３と、電池ユニット４と、器具本体１０とを備えている。また、非常用照明器具１は、センサ装置１１と、制御装置１２と、回路ブロック９とを備えることが好ましい（図１参照）。なお、以下の説明では、特に断りのない限り、図１に示す向きにおいて、非常用照明器具１の上下、左右及び前後の各方向を規定する。すなわち、非常用照明器具１が階段の踊り場の天井面に設置された状態において、鉛直方向を上下方向とし、階段の位置から見た左右方向を左右方向とし、階段の位置から見て手前を前方向とし、奥を後方向とする。
【００１１】
常用照明装置２は、常用光源２０と、常用光源２０が取り付けられる取付部材２１と、常用光源２０を覆う透光カバー２２と、常用光源２０を点灯する常用点灯装置２６とを備えている（図３及び図６参照）。常用光源２０は、長尺の基板２０１と、基板２０１の表面に実装される多数のＬＥＤ（light emitting diode）２００とを有している。取付部材２１は、金属材料によって長尺の樋状に形成されている。取付部材２１は、長尺の矩形板状に形成された底板２１０と、底板の短手方向（前後方向）における両端から上向きに立ち上がる一対の側板２１１とを有している。常用光源２０は、取付部材２１の底板２１０の下面に取り付けられる。常用点灯装置２６は、常用電源（例えば、商用の交流電源）から供給される交流電力を直流電力に変換するように構成されている。常用点灯装置２６は、取付部材２１の底板２１０の上面に取り付けられる。常用光源２０と常用点灯装置２６は、底板２１０に設けられた挿通孔に挿通される電線によって電気的に接続される。常用光源２０は、電線を介して常用点灯装置２６から直流電力が供給されることによって点灯する。
【００１２】
透光カバー２２は、アクリル樹脂やポリカーボネート樹脂などの透光性を有する合成樹脂材料により上面が開口する長尺の箱形に形成されている。透光カバー２２の下面は、短手方向（前後方向）において両端から中央に向かってなだらかに下向きに突出する曲面形状に形成されている（図１及び図６参照）。なお、透光カバー２２を形成する合成樹脂材料には、拡散材が混入されている。すなわち、常用光源２０から放射される光は、透光カバー２２を透過する際に拡散される。
【００１３】
また、常用照明装置２は、一対の引掛金具２３と、一対の引掛金具２３のそれぞれを移動可能に支持する一対の支持金具２５と、一対の引掛ばね２４とを有している（図６参照）。引掛ばね２４は、ねじりコイルばねからなり、コイル部２４０、第１腕部２４１及び第２腕部２４２を有している（図１及び図６参照）。ただし、第１腕部２４１は、第２腕部２４２よりも十分に長く形成されている。また、第１腕部２４１の先端部分は鉤形に曲げられている（図１参照）。
【００１４】
引掛金具２３は、帯状の金属板がＳ字形状に曲げ加工されて構成されており、引掛片２３０と、支持片２３１と、一対の引掛突起２３２とを有している（図６参照）。一対の引掛突起２３２はそれぞれ、引掛片２３０の先端（後端）から引掛片２３０の短手方向（左右方向）に突出している。支持片２３１は、Ｌ字形状に形成されて引掛片２３０の基端（前端）に繋がっている。
【００１５】
支持金具２５は、矩形板状に形成された本体部２５０を有している。本体部２５０の前端に、引掛ばね２４を保持する保持部２５１と、引掛ばね２４の第２腕部２４２を係止する係止部２５２とが設けられている（図６参照）。また、本体部２５０は、二対の支持片２５３を有している。これら二対の支持片２５３は、本体部２５０の一部がＬ字形に切り起こされることにより、本体部２５０の上面との間に隙間を空けるように形成されている。また、これら二対の支持片２５３は、前後方向及び左右方向に並ぶように配置されている（図６参照）。引掛金具２３の支持片２３１は、これら二対の支持片２５３と本体部２５０の上面との間の隙間に挿通されることにより、前後方向に沿って移動可能に支持されている（図６参照）。つまり、引掛金具２３は、引掛片２３０のほぼ全体を側板２１１の外に突出させる第１位置（図６参照）と、引掛片２３０の後端部分（一対の引掛突起２３２を含む部分）のみを側板２１１の外に突出させる第２位置との間を移動する。
【００１６】
保持部２５１は、引掛ばね２４のコイル部２４０を保持するように構成されている。また、係止部２５２は、引掛ばね２４の第２腕部２４２の先端を係止するように構成されている（図６参照）。したがって、引掛ばね２４は、外力を受けることで第１腕部２４１を取付部材２１から離す向きに撓み、かつ、第１腕部２４１を取付部材２１に近付ける向きの弾性力（ばね力）を生じるように構成されている。
【００１７】
非常用照明装置３は、２つの非常用光源ユニット３０と、１つの非常用電源装置３１とを備えている（図１参照）。ただし、２つの非常用光源ユニット３０は共通の構成を有している。
【００１８】
非常用光源ユニット３０は、非常用光源と、レンズ３００と、カバー３０１と、放熱板とを有している。非常用光源は、実装基板に少なくとも１個のＬＥＤが実装されたＬＥＤモジュールである。非常用光源は、金属材料によって矩形平板状に形成された放熱板の表面に取り付けられている。すなわち、非常用光源は、放熱板と熱的に結合されている。
【００１９】
レンズ３００は、例えば、ガラス製であって、非球面形状の入射面及び出射面を有している。ただし、レンズ３００は、ガラス繊維が混入されることで耐熱性（難燃性）が向上された合成樹脂材料（例えば、ポリカーボネート樹脂など）で形成されてもよい。
【００２０】
カバー３０１は、上面が開口する箱形に形成されている。カバー３０１の下面は、常用照明装置２の透光カバー２２と同様に、短手方向（前後方向）において両端から中央に向かってなだらかに下向きに突出する曲面形状に形成されている。カバー３０１の下面に凹部３０２が形成されている。凹部３０２は、下方から見た形状が楕円形に形成されている。凹部３０２の中央（底）に孔３０３が貫通している。孔３０３は、レンズ３００が挿通可能な形状（楕円形状）に形成されている。
【００２１】
カバー３０１の上面における長手方向の一端に、一対の引掛部３０４が設けられている（図１における右側の非常用光源ユニット３０を参照）。一対の引掛部３０４は、前後方向から見てＬ字状に形成されている。また、カバー３０１の長手方向の他端（右端）に、Ｌ字状の固定片３０５が設けられている。固定片３０５の先端部分に円形のねじ挿通孔３０６が設けられている。カバー３０１の上面に放熱板が取り付けられてカバー３０１の開口部（上面）が放熱板によって閉塞される。
【００２２】
非常用電源装置３１は、常用電源から給電される交流電力を直流電力に変換して電池ユニット４を充電する充電回路と、電池ユニット４から供給される直流電力によって２つの非常用光源ユニット３０の非常用光源を点灯させる点灯回路とを有する。非常用電源装置３１は、常用電源の給電が停止したとき、及びトリガ入力部（後述する）に外部からトリガ入力を受け付けたときに電池ユニット４から給電される直流電力で点灯回路に各非常用光源ユニット３０の非常用光源を点灯させるように構成されている。
【００２３】
電池ユニット４は、円筒型のニッケル水素電池などの２次電池からなる複数の電池セルと、これら複数の電池セルを収容するケース４０とを備えている（図１参照）。複数の電池セルは、その径方向に沿って１列に並べた状態でケース４０に収容される。ケース４０は、例えば、ポリ塩化ビニル系の樹脂を材料とする熱収縮部材で形成されることが好ましい。すなわち、ケース４０は、熱が加えられることによって収縮し、内部に収容された複数の電池セルを保持するように構成されている。
【００２４】
センサ装置１１は、電波センサ１１０と、センサ取付台１１１とを有する。電波センサ１１０は、ミリ波帯の電波を媒体として人（移動体）を検知し、人を検知したときに人検知信号を制御装置１２に出力するように構成される。センサ取付台１１１は、金属板が曲げ加工されて構成され、電波センサ１１０を保持するように構成される（図１参照）。
【００２５】
制御装置１２は、常用電源から給電されて動作し、センサ装置１１から出力される人検知信号に応じて、常用照明装置２（の常用点灯装置２６）を制御するように構成される。制御装置１２は、センサ装置１１から人検知信号が出力されているとき、常用照明装置２の常用点灯装置２６に出力電流を定格値とするように指示する。また、制御装置１２は、人検知信号が出力されなくなってから所定の待機時間（例えば、数十秒から数分）が経過したとき、常用照明装置２の常用点灯装置２６に出力電流をゼロ又は定格値の半分以下とするように指示する。ただし、制御装置１２は、常用電源が停電したときは全ての動作を停止する。
【００２６】
回路ブロック９は、図７及び図８に示すように、回路基板９０と、回路基板９０を収容するハウジング９１とを有している。回路基板９０の部品面に２つの押釦スイッチ（第１押釦スイッチ９２、第２押釦スイッチ９３）、表示素子９４、受光素子９５、コネクタ９６及び端子台９７が実装されている。表示素子９４は、例えば、緑色光を放射するＬＥＤチップを有している。受光素子９５は、赤外線を通信媒体とする制御信号を受信（受光）し、受信した制御信号から送信フレームを復調するように構成されている。この制御信号は、定期点検の作業を行う作業者に操作されるリモートコントローラから送信される。コネクタ９６は、例えば、ケーブルによって非常用電源装置３１と電気的に接続される。
【００２７】
ハウジング９１は、開口部を有する箱体９１０と、箱体９１０の開口部を塞ぐ蓋体９１１とを有している（図８参照）。箱体９１０の開口部に対向する底板に、４つの孔９１２Ａ〜９１２Ｄが一列に並べて設けられている。これら４つの孔９１２Ａ〜９１２Ｄのうちで右端の孔９１２Ａに、円柱状の操作部材９１３が前後方向（孔９１２Ａの軸方向）に変位可能に嵌め込まれている。回路基板９０は、部品面を底板に対向させるようにしてハウジング９１内に収容されている。第１押釦スイッチ９２の押釦９２０が孔９１２Ａと対向し、第２押釦スイッチ９３の押釦９３０が孔９１２Ｂと対向している。また、表示素子９４が孔９１２Ｃと対向し、受光素子９５が孔９１２Ｄと対向している。つまり、第１押釦スイッチ９２の押釦９２０は、操作部材９１３を介して押操作される。第２押釦スイッチ９３の押釦９３０は、孔９１２Ｂに挿入される治具（例えば、マイナスのドライバーなど）によって押操作される。表示素子９４が発する光は、孔９１２Ｃを通してハウジング９１の外に放射される。リモートコントローラから送信される制御信号が孔９１２Ｄを通して受光素子９５に受信（受光）される。
【００２８】
非常用電源装置３１は、充電回路が動作している場合、回路ブロック９の端子台９７に電気的に接続された電線を通して表示素子９４に電流を流すことで表示素子９４を発光させる。また、非常用電源装置３１は、ケーブルを通して第１押釦スイッチ９２及び第２押釦スイッチ９３の操作状態（オン及びオフ）を監視している。非常用電源装置３１は、第１押釦スイッチ９２がオンされている間、充電回路を停止し、かつ、電池ユニット４から供給される電力で非常用光源ユニット３０を点灯させる。また、非常用電源装置３１は、第２押釦スイッチ９３がオンされると、所定の期間（例えば、３０分間又は６０分間）に充電回路を停止し、かつ、電池ユニット４から供給される電力で非常用光源ユニット３０を点灯させる。そして、非常用電源装置３１は、所定の期間が経過するまで電池ユニット４から供給される電力で非常用光源ユニット３０を点灯させることができたか否かを判定し、その判定結果に応じた周期で表示素子９４を点滅させることが好ましい。また、非常用電源装置３１は、ケーブルを通して受光素子９５で復調される制御信号の送信フレームを受け取る。非常用電源装置３１は、送信フレームを受け取った場合、第２押釦スイッチ９３がオンされたときと同じ処理を行う。すなわち、第１押釦スイッチ９２及び第２押釦スイッチ９３は、それぞれの押釦９２０、９３０の押操作をトリガ入力として受け付けるトリガ入力部である。また、受光素子９５は、リモートコントローラから送信される制御信号をトリガ入力として受け付ける（受信する）トリガ入力部である。
【００２９】
器具本体１０は、図１に示すように、固定部材５と、カバー部材６と、保持部材７とを有している。固定部材５は、長尺の矩形平板状に形成された底板５０と、底板５０の長手方向に沿った両端（前端と後端）から底板５０の厚み方向（下向き）に立ち上がる一対の側板５１とを有している。なお、底板５０と一対の側板５１とは、亜鉛鋼板などの金属板によって一体に形成されている。
【００３０】
底板５０は、複数（図示例では４つ）の長孔５００を有している。これらの長孔５００は、底板５０の長手方向に沿って間隔を空けて設けられている（図１参照）。長孔５００は、踊り場の天井（造営材）に埋設されているアンカーボルトが挿通される。そして、アンカーボルトにナットが締め付けられることによって、固定部材５が天井に固定される。また、底板５０の長手方向（左右方向）のほぼ中央に、丸孔５０１が設けられている（図１参照）。この丸孔５０１は、常用電源からの給電用の電線（電灯線）が挿通される。さらに、底板５０の下面における丸孔５０１の近傍には、端子台１３が取り付けられている。端子台１３には、丸孔５０１から引き込まれる電線が電気的に接続される。
【００３１】
底板５０の下面には、非常用電源装置３１、センサ装置１１、制御装置１２、回路ブロック９及び一対の取付板５２が取り付けられる。非常用電源装置３１は、底板５０の下面における丸孔５０１と丸孔５０１の左側にある２つの長孔５００との間の位置に取り付けられている。センサ装置１１のセンサ取付台１１１は、底板５０の下面における丸孔５０１の前方に取り付けられている。制御装置１２は、底板５０の下面における丸孔５０１と丸孔５０１の右側にある２つの長孔５００との間の位置に取り付けられている。回路ブロック９は、底板５０の下面における長手方向の右端の位置に、取付金具９８によって取り付けられている。取付金具９８は、矩形平板状の金属板によってＬ字状に形成されている。取付金具９８は、底板５０の下面の法線方向（下方向）に対して、回路ブロック９が取り付けられる面を前方へ傾けるように構成されている（図１参照）。
【００３２】
一対の取付板５２は同一の構成を有している。取付板５２は、底板５０に固定される固定片５２０と、固定片５２０の一端から固定片５２０の厚み方向（下方向）に立ち上がる支持片５２１と、支持片５２１の先端（下端）から斜め下向きに突出する固定片５２２とを有している（図１参照）。固定片５２２の中央にねじ孔５２３が設けられている。一対の取付板５２は、底板５０の下面において、左側の２つの長孔５００の間の位置と、右側の２つの長孔５００の間の位置とにそれぞれ１つずつ固定されている（図１参照）。
【００３３】
保持部材７は、ベース７０と、挟み片７１とを有している（図１及び図９参照）。ベース７０は、長尺の矩形板状に形成されている。ベース７０は、その長手方向に沿った両端（前端と後端）から突出する一対の側壁７２を有している。また、ベース７０の長手方向の第１端（右端）に撓み片７１が設けられている。撓み片７１は、概ねＬ字状に形成されている。撓み片７１は、ベース７０の厚み方向（上下方向）に沿ってベース７０の下面と対向している。また、ベース７０の長手方向の第２端（左端）にガイド片７３が形成されている。ガイド片７３は、挟み片７１から遠ざかるにつれて、ベース７０の厚み方向（上下方向）に沿って徐々に下向きに立ち上がるように傾斜している。保持部材７は、ベース７０の上面を底板５０の下面に当てるようにしてベース７０の右端の位置に固定されている（図１参照）。保持部材７は、ベース７０と挟み片７１の間に挟み込むようにして電池ユニット４を保持する（図９参照）。つまり、保持部材７は、ベース７０と挟み片７１の間に電池ユニット４が挿入されれば、自動的に電池ユニット４を保持することができる。しかも、ベース７０の両端から突出している一対の側壁７２によって電池ユニット４がガイドされるので、電池ユニット４は、ベース７０と挟み片７１の間にスムーズかつ確実に挿入される。
【００３４】
カバー部材６は、長尺の矩形状に形成される前面壁６０と、前面壁６０の周縁から上向きに突出する周壁とを有して、上面が開口した箱状に形成されている。前面壁６０は、上面の開口に対して傾斜している。周壁は、前面壁６０の前端から突出する矩形状の第１周壁６１と、前面壁６０の後端から突出する矩形状の第２周壁６２と、前面壁６０の長手方向の両端から突出する一対の三角形状の第３周壁６３とを有している（図１〜図５参照）。さらに、周壁は、第３周壁６３の上端から上向きに突出する矩形状の第４周壁６４と、第２周壁の上端から上向きに突出する矩形状の第５周壁６５とを有している（図１及び図５参照）。
【００３５】
また、カバー部材６は、前面壁６０の短手方向（前後方向）における後端寄りの位置に、前面壁６０の表面（下面）から奥（後方）に凹んだ凹部６６を有している（図１参照）。凹部６６は、底壁６６０と、底壁６６０の長手方向（左右方向）に沿って底壁６６０の厚み方向に突出する一対の側壁６６１とを有している（図１及び図６参照）。底壁６６０は、前面壁６０とほぼ平行している。ここで、前面壁６０の前端から前方の側壁６６１の下端までの距離Ｄ１は、前面壁６０の後端から後方の側壁６６１の下端までの距離Ｄ２よりも十分に（例えば、５倍〜６倍程度）長いことが好ましい（図１参照）。
【００３６】
凹部６６の長手方向（左右方向）の一端寄り（右寄り）の位置に、矩形の窓６７が開口している。窓６７は、底壁６６０及び一対の側壁６６１を貫通している。また、底壁６６０の長手方向の両端近くにねじ孔６６２が１つずつ設けられている。さらに、底壁６６０には、２つのねじ挿通孔６６３が設けられている。
【００３７】
また、２つの側壁６６１のうちで後方の側壁６６１に、２つの長孔（引掛孔６６４）が設けられている（図１参照）。これらの引掛孔６６４は、その長手方向を側壁６６１の長手方向（左右方向）に揃えるようにして側壁６６１に設けられている。さらに、底壁６６０の前端寄りの位置に２つの長孔（ばね引掛孔）が設けられている。これらのばね引掛孔は、その長手方向を底壁６６０の長手方向に揃えるようにして底壁６６０に設けられている。
【００３８】
前面壁６０の凹部６６よりも前方の部分に、矩形状の第１貫通孔６０１と矩形状の第２貫通孔６０２が設けられている（図１参照）。第１貫通孔６０１は、前面壁６０の長手方向のほぼ中央に設けられている。第２貫通孔６０２は、前面壁６０の長手方向の一端（右端）に設けられている。
【００３９】
カバー部材６が下方から固定部材５に被せられ、底壁６６０の２つのねじ挿通孔６６３に挿通されるねじのそれぞれが、取付板５２のねじ孔５２３にねじ込まれることによってカバー部材６と固定部材５が結合されて器具本体１０が構成されている。センサ装置１１の電波センサ１１０がカバー部材６の前面壁６０の第１貫通孔６０１に挿通されて前面壁６０の前方に突出する。また、回路ブロック９のハウジング９１の一部（箱体９１０の底板）が第２貫通孔６０２に挿通されて前面壁６０の前方に突出する（図２及び図５参照）。
【００４０】
２つの非常用光源ユニット３０は、カバー部材６の凹部６６における長手方向（左右方向）の両端に１つずつ取り付けられる。すなわち、カバー３０１の長手方向の一端に設けられている一対の引掛部３０４が、凹部６６における長手方向の一端の縁に引っ掛けられる。そして、カバー３０１の固定片３０５のねじ挿通孔３０６に挿通されたねじが、凹部６６の底壁６６０に設けられているねじ孔６６２にねじ込まれることによって、非常用光源ユニット３０が器具本体１０（カバー部材６）に取り付けられている。
【００４１】
常用照明装置２は、透光カバー２２を除く部分（取付部材２１の一対の側板２１１及び常用点灯装置２６など）を凹部６６内に収容し、透光カバー２２を前面壁６０から前方へ突出させるようにして器具本体１０に取り付けられる（図２〜図５参照）。
【００４２】
次に、非常用照明器具１を階段の踊り場の天井に取り付ける場合の作業手順を説明する。取付作業を行う作業者は、まず、固定部材５を天井に取り付ける。すなわち、作業者は、天井から引き出されている電灯線を底板５０の丸孔５０１に挿通した後、底板５０の複数（例えば、右側の１つと左側の１つの合計２つ）の長孔５００のそれぞれにアンカーボルトを挿通する。そして、作業者は、２つの長孔５００のそれぞれに挿通した２本のアンカーボルトにナットを締め付けて固定部材５を天井に固定する。それから、作業者は、丸孔５０１に挿通した電灯線を端子台１３に結線する。
【００４３】
続いて、作業者は、電池ユニット４を保持部材７に保持させる。さらに、作業者は、底板５０に挟み具８を取り付ける。挟み具８は、ねじ挿通孔８００を有する固定板８０と、固定板８０の後端から下向きに伸びた連結板８１と、連結板８１の下端から固定板８０と反対の向きに突出する挟み板８２とを有している（図１参照）。作業者は、固定板８０のねじ挿通孔８００に挿通したつまみねじを底板５０に設けられているねじ孔５３にねじ込むことによって挟み具８を底板５０に取り付ける。底板５０に取り付けられた挟み具８の挟み板８２は、保持部材７に保持されている電池ユニット４の端部（左端部）に当たり、保持部材７のベース７０との間に電池ユニット４を挟み込む。つまり、電池ユニット４は、挟み具８によって保持部材７のベース７０との間で挟み込まれることにより、保持部材７から脱落し難くなっている。
【００４４】
最後に、作業者は、常用照明装置２を器具本体１０に取り付ける。作業者は、常用照明装置２の一対の引掛金具２３をそれぞれ移動させ、それぞれの引掛片２３０を取付部材２１の側板２１１の外に突出させる。そして、作業者は、各引掛金具２３の引掛片２３０を、対応する引掛孔６６４に挿入する。このとき、作業者は、引掛片２３０の先端に設けられている一対の引掛突起２３２のそれぞれを、側壁６６１における引掛孔６６４の縁に引っ掛ける。つまり、常用照明装置２は、各引掛金具２３の一対の引掛突起２３２を支点とし、器具本体１０に対して回転可能に仮保持される（図６参照）。作業者は、常用照明装置２を器具本体１０に仮保持させた状態において、端子台１３から引き出されている電源ケーブルを常用照明装置２の常用点灯装置２６の入力端子に結線する。その後、作業者は、引掛ばね２４の第１腕部２４１の先端部分を凹部６６の底壁６６０のばね引掛孔に挿入し、前面壁６０の下面に常用照明装置２が被さる位置（取付位置）まで常用照明装置２を下から上に向かって回転させる。このとき、引掛金具２３は、引掛片２３０を側板２１１の内側に引っ込める向きに移動する。常用照明装置２は、底壁６６０におけるばね引掛孔の縁に接触している第１腕部２４１の弾性力（ばね力）によって取付位置に保持される。以上の手順で非常用照明器具１が天井に取り付けられる。
【００４５】
ここで、特許文献１記載の従来例では、正面から見たときに器具本体が筐体に覆い隠されているため、充電モニタランプが視認し難くなっている。これに対して本実施形態の非常用照明器具１では、表示素子９４の光を通過させる通過部（第２貫通孔６０２）が器具本体１０の前面壁６０に設けられている（図２〜図４参照）。さらに、第２貫通孔６０２は、前面壁６０の短手方向（前後方向）に沿って、右側の非常用照明装置３に隣り合う位置に設けられている。つまり、表示素子９４が発光する期間は、常用電源から給電された非常用電源装置３１が電池ユニット４を充電している期間であり、常用照明装置２が点灯し、かつ、２つの非常用照明装置３が消灯している。したがって、第２貫通孔６０２が前面壁６０の短手方向に沿って常用照明装置２に隣り合う位置に設けられた場合、常用照明装置２の放射する光によって第２貫通孔６０２を通過する表示素子９４の光が視認し難くなる。これに対して本実施形態の非常用照明器具１では、前面壁６０の短手方向に沿って非常用照明装置３に隣り合う位置に第２貫通孔６０２が設けられているので、常用照明装置２の放射する光の影響を受け難くして、表示素子９４の視認性の向上を図ることができる。
【００４６】
なお、第２貫通孔が第１周壁６１に設けられた場合、回路ブロック９のハウジング９１の大きさに合わせて第１周壁６１の高さ寸法（上下方向の長さ寸法）を大きくする必要がある。これに対して、本実施形態の非常用照明器具１では、第２貫通孔６０２が前面壁６０に設けられているので、第２貫通孔６０２が第１周壁６１に設けられる場合と比較して、第１周壁６１の高さ寸法を小さくし、器具本体１０の小型化を図ることができる。
【００４７】
ところで、第２貫通孔６０２は、前面壁６０における前面壁６０の前端から非常用照明装置３までの間に配置されている（図２〜図５参照）。そして、前面壁６０は、第２貫通孔６０２が配置されている部分の幅寸法（距離Ｄ１）を、非常用照明装置３に対して第２貫通孔６０２が配置されている部分と反対側の部分の幅寸法（距離Ｄ２）よりも十分に大きくするように構成されている。そのため、非常用照明器具１は、前面壁６０において第２貫通孔６０２が配置される部分をより大きくすることによって、表示素子９４の表示を目立たせることができる。
【００４８】
また、カバー部材６の一対の第３周壁６３は、前面壁６０の長手方向から見て、前面壁６０及び第２周壁６２のそれぞれとの境界を２辺とする三角形状に形成されている。したがって、器具本体１０は、直方体状に形成される場合と比較して、非常用電源装置３１や電池ユニット４などを収容するために必要十分な空間を確保しつつ小型化を図ることができる。
【００４９】
ここで、非常用照明器具１は、第２貫通孔６０２を通してトリガ入力部（第１押釦スイッチ９２、第２押釦スイッチ９３及び受光素子９５）でトリガ入力を受け付けるように構成されている。つまり、非常用照明器具１は、視認し易い場所に設けられた第２貫通孔６０２を通してトリガ入力部にトリガ入力を受け付けさせる。そのため、非常用照明器具１は、トリガ入力部に容易にトリガ入力を受け付けさせることができる。しかも、表示素子９４とトリガ入力部（第１押釦スイッチ９２、第２押釦スイッチ９３及び受光素子９５）が同一の基板（回路基板９０）に実装されてハウジング９１内に収容されている。そのため、非常用照明器具１は、表示素子９４とトリガ入力部が別々の基板に実装される場合と比較して、部品点数の削減を図ることができる。
【００５０】
上述のように非常用照明器具１は、常用照明を行う常用照明装置２と、非常用照明を行う非常用照明装置３と、非常用照明装置３に給電する電池（電池ユニット４）と、電池ユニット４を充電する充電装置（非常用電源装置３１）とを備える。非常用照明器具１は、非常用電源装置３１による電池ユニット４の充電状態を表示する表示素子９４と、常用照明装置２、非常用照明装置３、電池ユニット４、非常用電源装置３１及び表示素子９４を内部に収容する器具本体１０とを備える。器具本体１０は、常用照明装置２の一部及び非常用照明装置３の一部が第１方向（器具本体１０の長手方向）に沿って並ぶように露出する前面壁６０を有する。前面壁６０において、第１方向と交差する第２方向（器具本体１０の短手方向）に沿って非常用照明装置３に隣り合う位置に、表示素子９４が発する光を通過させる通過部（第２貫通孔６０２）が設けられている。
【００５１】
非常用照明器具１は上述のように構成されるので、常用照明装置２の放射する光の影響を受け難くして、電池ユニット４の充電状態を表示する表示素子９４の視認性の向上を図ることができる。
【００５２】
非常用照明器具１において、前面壁６０は、第２方向の第１端から非常用照明装置３までの距離Ｄ１を、第２方向の第２端から非常用照明装置３までの距離Ｄ２よりも大きくするように構成されることが好ましい。第２貫通孔６０２、第１端から非常用照明装置３までの間に配置されていることが好ましい。
【００５３】
非常用照明器具１が上述のように構成されれば、前面壁６０において第２貫通孔６０２が配置される部分をより大きくすることによって、表示素子９４の表示を目立たせることができる。
【００５４】
非常用照明器具１において、器具本体１０は、造営材に固定される固定部材５と、固定部材５に結合されるカバー部材６とを有することが好ましい。カバー部材６は、長尺の矩形状に形成される前面壁６０と、前面壁６０の第２方向の第１端から突出する第１周壁６１と、前面壁６０の第２方向の第２端から突出する第２周壁６２とを有することが好ましい。カバー部材６は、前面壁６０の第１方向の両端から突出する一対の第３周壁６３を有することが好ましい。一対の第３周壁６３は、前面壁６０の長手方向から見て、前面壁６０及び第２周壁６２のそれぞれとの境界を２辺とする三角形状の部位を有していることが好ましい。
【００５５】
非常用照明器具１が上述のように構成されれば、器具本体が直方体状に形成される場合と比較して、非常用電源装置３１や電池ユニット４などを収容するために必要十分な空間を確保しつつ器具本体１０の小型化を図ることができる。
【００５６】
非常用照明器具１において、第２貫通孔６０２を通して外部からのトリガ入力を受け付けるトリガ入力部（第１押釦スイッチ９２、第２押釦スイッチ９３及び受光素子９５）を備えることが好ましい。非常用照明装置３は、トリガ入力部でトリガ入力が受け付けられたときに電池ユニット４から給電されて非常用照明を行うように構成されていることが好ましい。
【００５７】
非常用照明器具１が上述のように構成されれば、トリガ入力部に容易にトリガ入力を受け付けさせることができる。その結果、非常用照明器具１は、トリガ入力部にトリガ入力を受け付けさせて行われる点検作業の作業性の向上を図ることができる。
【００５８】
非常用照明器具１において、表示素子９４とトリガ入力部を含む回路ブロック９を備えることが好ましい。回路ブロック９は、表示素子９４及びトリガ入力部が実装された基板（回路基板９０）と、回路基板９０と表示素子９４及びトリガ入力部とを収容するハウジング９１とを有することが好ましい。
【００５９】
非常用照明器具１が上述のように構成されれば、表示素子９４とトリガ入力部が別々の基板に実装される場合と比較して、部品点数の削減を図ることができる。
【符号の説明】
【００６０】
１  非常用照明器具
２  常用照明装置
３  非常用照明装置
４  電池ユニット（電池）
５  固定部材
６  カバー部材
９  回路ブロック
１０  器具本体
３１  非常用電源装置（充電装置）
６０  前面壁
６１  第１周壁
６２  第２周壁
６３  第３周壁
９０  回路基板（基板）
９１  ハウジング
９２  第１押釦スイッチ（トリガ入力部）
９３  第２押釦スイッチ（トリガ入力部）
９４  表示素子
９５  受光素子（トリガ入力部）
６０２  第２貫通孔（通過部）
【図１】
2018147757.tif 000003
【図２】
2018147757.tif 000004
【図３】
2018147757.tif 000005
【図４】
2018147757.tif 000006
【図５】
2018147757.tif 000007
【図６】
2018147757.tif 000008
【図７】
2018147757.tif 000009
【図８】
2018147757.tif 000010
【図９】
2018147757.tif 000011